(57)【要約】      （修正有）【課題】体系化された輸液セットの中から所定の輸液セットを容易に検索可能な輸液セット検索装置及び輸液セット検索方法を提供する。【解決手段】輸液セット検索装置（１）は、輸液セットを構成する部品の部品情報を取得する取得部（２）と、前記取得部（２）が取得した前記部品情報に対応する輸液セットを、前記部品情報と異なる情報に関連付けられて生成された輸液セットのデータベースから検索する検索部（３）と、を備える。【選択図】図１
2019067420.tif 000002
【特許請求の範囲】
【請求項１】
輸液セットを構成する部品の部品情報を取得する取得部と、
前記取得部が取得した前記部品情報に対応する輸液セットを、前記部品情報と異なる情報に関連付けられて生成された輸液セットのデータベースから検索する検索部と、を備えることを特徴とする輸液セット検索装置。
【請求項２】
前記取得部は、前記取得部が取得した前記部品情報に対応する、前記データベースの１つの輸液セットについて、当該輸液セットを構成する部品を変更する変更情報を取得することを特徴とする、請求項１に記載の輸液セット検索装置。
【請求項３】
前記変更情報に基づいて決定された輸液セットを特定する識別情報を、外部装置に出力する出力部を備えることを特徴とする、請求項２に記載の輸液セット検索装置。
【請求項４】
前記出力部により出力された前記識別情報により特定される前記輸液セットを、前記データベースの輸液セットに登録することを特徴とする、請求項３に記載の輸液セット検索装置。
【請求項５】
前記データベースは、輸液セットの過去の生産数情報又は売上情報に関連付けられて生成されることを特徴とする、請求項１乃至４のいずれか１つに記載の輸液セット検索装置。
【請求項６】
輸液セットを構成する部品の部品情報を取得するステップと、
前記部品情報と異なる情報に関連付けられて生成された、輸液セットのデータベースから、取得された前記部品情報に対応する輸液セットを検索するステップと、を含むことを特徴とする輸液セット検索方法。
【請求項７】
取得された前記部品情報に対応する、前記データベースの１つの輸液セットについて、当該輸液セットを構成する部品を変更するステップを、更に含むことを特徴とする、請求項６に記載の輸液セット検索方法。
【請求項８】
部品が変更された輸液セットを特定する識別情報を外部装置へと出力するステップを更に含むことを特徴とする、請求項７に記載の輸液セット検索方法。
【請求項９】
出力された前記識別情報により特定される前記輸液セットを前記データベースに登録するステップを更に含むことを特徴とする請求項８に記載の輸液セット検索方法。
【請求項１０】
コンピュータを、
輸液セットを構成する部品の部品情報を取得する取得手段、及び
前記部品情報と異なる条件に関連付けられて生成された、輸液セットのデータベースから、前記取得手段が取得した前記部品情報に対応する輸液セットを検索する検索手段、として機能させるためのプログラム。
【発明の詳細な説明】
【技術分野】
【０００１】
本発明は、輸液セット検索装置及び輸液セット検索方法に関する。
【背景技術】
【０００２】
従来から、輸液を行う場合には、医療用チューブなどの部品を組み合わせてライン（輸液ライン）を構成した輸液セットが用いられている。このような輸液セットは、病院や医師によって使い方が様々であり、極めて多数の仕様の輸液セットが現実に採用されている。
【０００３】
特許文献１には、輸液ラインを構成する部品を、瓶針タイプユニット、メインチューブユニット、混注デバイスユニット、輸液フィルタユニット、及び一方弁ユニットに区分し、各ユニット群を構成し、ユニット群毎に、その機能に基づいて部品を組み合わせたユニットを、それぞれ異なる仕様に対応させて複数種用意して、各ユニット群からユニットを選択してユニットの組み合わせを決定する輸液ラインの構成方法が開示されている。
【先行技術文献】
【特許文献】
【０００４】
【特許文献１】特開２００２−２５３６６９号公報
【発明の概要】
【発明が解決しようとする課題】
【０００５】
特許文献１には、輸液ラインを標準化されたユニット群の組み合わせとして体系化することが開示されているが、この輸液ラインの構成方法を実際に実現する手段については何ら言及されていない。
【０００６】
本発明の目的は、ユーザーが、体系化された輸液セットの中から所定の輸液セットを容易に検索可能な輸液セット検索装置及び輸液セット検索方法を提供することである。
【課題を解決するための手段】
【０００７】
本発明の第１の態様としての輸液セット検索装置は、輸液セットを構成する部品の部品情報を取得する取得部と、前記取得部が取得した前記部品情報に対応する輸液セットを、前記部品情報と異なる情報に関連付けられて生成された輸液セットのデータベースから検索する検索部と、を備えることを特徴とするものである。
【０００８】
本発明の一実施形態として、前記取得部は、前記取得部が取得した前記部品情報に対応する、前記データベースの１つの輸液セットについて、当該輸液セットを構成する部品を変更する変更情報を取得することが好ましい。
【０００９】
本発明の一実施形態としての輸液セット検索装置は、前記変更情報に基づいて決定された輸液セットを特定する識別情報を、外部装置に出力する出力部を備えることが好ましい。
【００１０】
本発明の一実施形態としての輸液セット検索装置は、前記出力部により出力された前記識別情報により特定される前記輸液セットを、前記データベースの輸液セットに登録することが好ましい。
【００１１】
本発明の一実施形態として、前記データベースは、輸液セットの過去の生産数情報又は売上情報に関連付けられて生成されることが好ましい。
【００１２】
本発明の第２の態様としての輸液セット検索方法は、輸液セットを構成する部品の部品情報を取得するステップと、前記部品情報と異なる情報に関連付けられて生成された、輸液セットのデータベースから、取得された前記部品情報に対応する輸液セットを検索するステップと、を含むことを特徴とするものである。
【００１３】
本発明の一実施形態としての輸液セット検索方法は、取得された前記部品情報に対応する、前記データベースの１つの輸液セットについて、当該輸液セットを構成する部品を変更するステップを、更に含むことが好ましい。
【００１４】
本発明の一実施形態としての輸液セット検索方法は、部品が変更された輸液セットを特定する識別情報を外部装置へと出力するステップを更に含むことが好ましい。
【００１５】
本発明の一実施形態としての輸液セット検索方法は、出力された前記識別情報により特定される前記輸液セットを前記データベースに登録するステップを更に含むことが好ましい。
【００１６】
本発明の第３の態様としてのプログラムは、コンピュータを、輸液セットを構成する部品の部品情報を取得する取得手段、及び前記部品情報と異なる条件に関連付けられて生成された、輸液セットのデータベースから、前記取得手段が取得した前記部品情報に対応する輸液セットを検索する検索手段、として機能させるものである。
【発明の効果】
【００１７】
本発明によれば、ユーザーが、体系化された輸液セットの中から所定の輸液セットを容易に検索可能な輸液セット検索装置及び輸液セット検索方法を提供することができる。
【図面の簡単な説明】
【００１８】
【図１】本発明の１つの実施形態としての輸液セット検索装置を示す図である。
【図２】本発明の１つの実施形態としての輸液セット検索方法の各ステップを示すフローチャート図である。
【図３】本発明の１つの実施形態としての輸液セット検索装置を用いた輸液セット検索システムの概要を示す図である。
【図４】図３に示す輸液セット検索システムの構成を示す図である。
【図５】輸液セット検索システムにおける携帯情報端末の一画面を示す図である。
【図６】輸液セット検索システムにおける携帯情報端末の一画面を示す図である。
【図７】輸液セット検索システムにおける携帯情報端末の一画面を示す図である。
【図８】輸液セット検索システムにおける携帯情報端末の一画面を示す図である。
【図９】輸液セット検索システムにおける携帯情報端末の一画面を示す図である。
【発明を実施するための形態】
【００１９】
以下、本発明に係る輸液セット検索装置及び輸液セット検索方法の実施形態について、図１〜図９を参照して説明する。なお、各図において共通の部材には、同一の符号を付している。
【００２０】
＜実施形態１＞
まず、本発明に係る輸液セット検索装置の１つの実施形態について説明する。図１は、本実施形態としての輸液セット検索装置１の構成を示すブロック図である。
【００２１】
図１に示すように、輸液セット検索装置１は、輸液セットを構成する部品の部品情報を取得する取得部２と、この取得部２が取得した部品情報に対応する輸液セットを、部品情報と異なる情報に関連付けられて生成された輸液セットのデータベースから検索する検索部３と、を備える。
【００２２】
具体的に、本実施形態の輸液セット検索装置１は、取得部２と、検索部３と、輸液セットのデータベースを保持する記憶部４と、出力部５と、制御部６と、を備える。
【００２３】
取得部２は、輸液セット検索装置１の操作者（例えば、輸液セットのユーザーや輸液セットの提供者）が輸液セットを構成する部品の部品情報を入力可能な情報入力部１７を備える。情報入力部１７には、操作者によって、例えば、キーボードなどのユーザーインターフェイスを介して輸液セットの部品の部品情報が入力される。これにより、本実施形態の取得部２は、輸液セットを構成する部品の各種部品情報を取得する。
【００２４】
具体的に、取得部２は、輸液セットを構成する部品としての、瓶針、点滴筒、クランプ、混注用コネクタ、輸液セットを他の医療用器具と接続する輸液ラインの遠位端部に位置するコネクタ、及びチューブに関して、医師等のユーザーが要求する情報（部品情報）を取得する。なお、「輸液セット」とは、構成部品として、少なくとも瓶針及びチューブを備えるものである。
【００２５】
記憶部４は、少なくとも輸液セットを構成する部品の部品情報とは異なる情報に関連付けられて生成された、輸液セットのデータベースを保持している。ここで、「輸液セットを構成する部品の部品情報とは異なる情報」とは、例えば、輸液セットを供給する供給者が保持する過去の生産数情報や過去の売上情報が挙げられる。本実施形態では、輸液セットを構成する部品の部品情報及び過去の生産数情報に関連付けられた輸液セットがデータベース化されて、記憶部４に記憶されている。より具体的に、本実施形態の輸液セットのデータベースは、例えば過去一年間など、過去の所定の期間内において生産数が所定数以上の輸液セットを集めたもので構成されている。以下、過去の所定期間において生産数が所定数以上の輸液セット、又は過去の所定期間内において売上が所定額以上の輸液セットを、「標準品」と呼ぶ。これに対して、過去の所定期間内において生産数が所定数未満であって、かつ、過去の所定期間内において売上が所定額未満の輸液セットを、「特殊仕様品」と呼ぶ。つまり、本実施形態の記憶部４のデータベースは、輸液セットの提供者が保持する標準品を、部品情報について体系化してデータベース化したものである。
【００２６】
検索部３は、取得部２が取得した輸液セットの部品情報に対応する、記憶部４のデータベースにおける輸液セットを検索し、出力部５が、この検索結果を出力する。なお、制御部６は、取得部２、検索部３、記憶部４、及び出力部５の各部に対して動作タイミングや動作の指示等を行うものである。なお、本実施形態の検索部３及び制御部６は、ＣＰＵなどのプロセッサーであり、検索部３及び制御部６をそれぞれ別のプロセッサーで構成することも、共通のプロセッサーで構成することもできる。
【００２７】
また、本実施形態の出力部５は、ディスプレイなどの表示部７と、検索部３の検索結果を表示部７に表示出力する（表示するように出力することを意味する。）表示出力部８と、輸液セット検索装置１とは別装置である外部装置５０に対して所定の輸液セットについての識別情報を有線又は無線通信により送信する送信部９と、を備える。輸液セット検索装置１の操作者は、表示部７を通じて、ユーザーが要求する輸液セットの部品情報に合致する標準品を確認することができる。また、送信部９は、ユーザーの要求を満足する標準品についての識別情報を、外部装置５０に送信する。例えば、外部装置５０がこの識別情報を受信した場合に、輸液セットの発注が完了するようにすることができる。
【００２８】
通常、特殊仕様品は、過去に生産実績がない、又は生産実績があったとしても生産数が少ないため、標準品と比較して製造コストが高くなる傾向がある。また、過去に生産実績がない特殊仕様品は、リスク分析などの安全性の確認のために多くの時間を要し、ユーザーへ短納期で供給することが難しい。すなわち、特殊仕様品は、輸液セットのユーザーにとって、高コストであって、入手に時間を要するという課題があると共に、輸液セットの提供者にとっても製造に手間がかかるという課題がある。
【００２９】
これに対して本実施形態の輸液セット検索装置１は、ユーザーの要求を満足する輸液セットを、まず、輸液セットの提供者が保持する標準品から検索するようにしたものである。具体的に、本実施形態の輸液セット検索装置１は、図２に各ステップを示す、本発明の一実施形態としての輸液セット検索方法を実行するものである。なお、図２に示す輸液セット検索方法は、輸液セットの検索に加えて、輸液セットの設計及び発注をも実現できるものである。
【００３０】
より具体的に、本実施形態の輸液セット検索装置１は、輸液セットのユーザー情報を取得するステップＳ１と、輸液セットを構成する部品の部品情報を取得するステップＳ２と、部品情報と異なる情報に関連付けられて生成された輸液セットのデータベースから、ステップＳ２で取得された部品情報に対応する輸液セットを検索するステップＳ３と、データベースの輸液セットのうち、ステップＳ２で取得した部品情報に対応する輸液セットについての情報を表示部７に出力するステップＳ４と、出力された輸液セットから１つの輸液セットを選択するステップＳ５と、ステップＳ５で選択された、データベースの１つの輸液セットについて、この輸液セットを構成する部品を変更するステップＳ６と、ステップＳ５で選択された１つの輸液セット又はステップＳ５で選択されてステップＳ６で部品が変更された１つの輸液セット、を特定する識別情報を外部装置５０へと出力するステップＳ７と、出力された識別情報により特定される輸液セットがステップＳ６において部品が変更された１つの輸液セットの場合、その輸液セットを、所定条件下で、データベースに登録するステップＳ８と、を実行するものである。
【００３１】
以下、本実施形態の輸液セット検索装置１により実行される上述の輸液セット検索方法について、詳しく説明する。
【００３２】
まず、輸液セットのユーザー情報を取得するステップＳ１について説明する。ステップＳ１では、取得部２が、輸液セットのユーザーに関するユーザー情報を取得する。具体的に、本実施形態の取得部２は、病院名、部署名、担当者名などの輸液セットのユーザーについての書誌的情報（ユーザー情報）を、取得する。
【００３３】
次に、輸液セットを構成する部品の部品情報を取得するステップＳ２について説明する。ステップＳ２では、取得部２が、輸液セットの各種部品情報を取得する。具体的に、本実施形態の取得部２は、瓶針、点滴筒、クランプ、混注用コネクタ、輸液セットを他の医療用器具と接続する輸液ラインの遠位端部に位置するコネクタ、及びチューブに関わる部品情報を、取得する。より具体的に、本実施形態の取得部２は、薬液等の輸液剤の落下方式、ＡＦＦ（Anti-Free Flowの略であり、「自然落下抑制」を意味する。）クリップの有無、単位時間当たりの滴下数、中間チューブの有無、瓶針の種類、定量筒の有無、フィルター及び／又はろ過網の有無、下流部の形状、混注用コネクタの有無、種類、個数及び色、クランプの有無、種類及び個数、チューブと混注用コネクタとの接続構造、混注用コネクタの下流側に接続されるチューブの種類などを、輸液セットを構成する部品の部品情報として取得する。以下、本実施形態の取得部２が取得する各部品情報について説明する。
【００３４】
Ｉ．輸液剤の落下方式
輸液剤の落下方式とは、輸液セットの中空部内で輸液剤を移動させる方式であって、重力による自然落下を利用する自然落下方式と、輸液ポンプ等の自動送液量調節具を輸液ライン中に介在させて送液量を調節可能なポンプ方式と、がある。自然落下方式と、ポンプ方式とでは、例えば、輸液ラインにおいて点滴筒の下流側に接続されるチューブの仕様やこのチューブに取り付けられるクランプの仕様が異なる。従って、本実施形態では、輸液剤の落下方式と、輸液セットにおける一部のチューブ及びクランプの仕様と、が関連付けられており、取得部２が輸液セットにおける輸液剤の落下方式を取得することにより、輸液セットを構成する一部のチューブ及びクランプに関する部品情報を併せて取得することができる。なお、本実施形態において、ポンプ方式用のチューブやクランプの仕様は、輸液ポンプ等を使用して送液量を調節する場合のみならず、自然落下方式で輸液剤を投与する場合にも使用可能な兼用タイプである。
【００３５】
具体的に、本実施形態では、輸液剤の落下方式と関連付けられたチューブの仕様として、ポンプ方式及び自然落下方式に兼用可能な兼用チューブと、この兼用チューブよりも内径及び外径が小さい自然落下方式用チューブと、がある。本実施形態の取得部２は、落下方式に関する情報を取得することにより、取得した落下方式に関連付けられたチューブの種類を、部品情報として取得することができる。より具体的に、取得部２が取得した落下方式に関する情報がポンプ方式である場合、取得部２は、輸液ラインにおいて点滴筒の下流側に接続される、輸液ポンプ等の自動送液量調節具が取り付けられるチューブが兼用チューブであるとの部品情報を取得する。また、取得部２が取得した落下方式に関する情報が自然落下方式である場合、取得部２は、輸液ラインにおいて点滴筒の下流側に接続されるチューブが自然落下方式用チューブであるとの部品情報を取得する。
【００３６】
クランプの仕様についても、上述したチューブの仕様と同様、ポンプ方式及び自然落下方式に兼用可能な兼用クランプと、自然落下方式用クランプとがあるが、この詳細は後述する。
【００３７】
なお、本実施形態の取得部２は、輸液剤の落下方式を取得することにより、この落下方式と関連付けられたチューブ及びクランプの部品情報を併せて取得するが、チューブ及びクランプの部品情報の取得方法はこれに限られるものではなく、例えば、チューブ及びクランプの仕様に関する部品情報を、輸液剤の落下方式の情報を介さずに、直接取得するようにすることも可能である。
【００３８】
ＩＩ．ＡＦＦクリップの有無
取得部２が取得した上述の落下方式がポンプ方式である場合、取得部２は、自然落下抑制具としてのＡＦＦクリップの有無を、輸液セットの部品情報として取得する。ＡＦＦクリップとは、自動送液量調節具としての輸液ポンプが開放されている状態など、輸液セットのチューブが自動送液量調節具によって挟持されていない状態において、チューブ内の輸液剤が自然落下してしまうことを抑制する部材である。なお、取得部２が取得した落下方式が自然落下方式である場合、取得部２は、落下方式の取得に併せて、ＡＦＦクリップ無しとの部品情報を取得する。
【００３９】
ＩＩＩ．単位時間当たりの滴下数
単位時間当たりの滴下数とは、点滴筒から滴下される輸液剤の単位時間当たりの滴下数を意味する。本実施形態の取得部２は、単位時間当たりの滴下数を、輸液セットの部品情報として取得する。具体的に、本実施形態の取得部２は、単位時間当たりの滴下数として、一分間当たりの滴下数が２０滴であるか、又は６０滴であるかの情報を取得する。
【００４０】
ＩＶ．中間チューブの有無
中間チューブの有無とは、点滴筒と瓶針との間の接続構成に関連する部品情報である。本実施形態の取得部２は、輸液セットを構成する部品の部品情報として、中間チューブの有無に関する情報を取得する。なお、「中間チューブ有り」の場合とは、輸液セットにおける点滴筒と瓶針とが、中間チューブを介して接続された構成を意味し、「中間チューブ無し」の場合とは、点滴筒が瓶針付きのキャップに接続された構成を意味する。
【００４１】
Ｖ．瓶針の種類
取得部２は、瓶針の種類を、輸液セットの部品情報として取得する。なお、瓶針の種類は、上述した中間チューブの有無によっても異なる。従って、取得部２が取得した中間チューブの有無についての情報が「中間チューブ有り」の場合、取得部２は、瓶針単体の種類に関する部品情報を更に取得する。また、取得部２が取得した中間チューブの有無についての情報が「中間チューブ無し」の場合、取得部２は、瓶針付きキャップの種類に関する部品情報を更に取得する。なお、瓶針単体の種類としては、例えば、プラスチック製瓶針、金属製瓶針などが挙げられ、取得部２は、これらのうちいずれかの種類が特定される情報を取得する。また、瓶針付きキャップの種類としては、例えば、瓶針がプラスチック製瓶針であるキャップ、瓶針が金属製瓶針であるキャップ、瓶針が通気付き瓶針であるキャップなどが挙げられ、取得部２は、これらのうちいずれかの種類が特定される情報を取得する。
【００４２】
ＶＩ．定量筒の有無
更に、取得部２が中間チューブの有無について「中間チューブ有り」との情報を取得した場合、取得部２は、輸液ラインの瓶針と点滴筒との間の定量筒の有無についての情報を取得する。
【００４３】
ＶＩＩ．フィルター及び／又はろ過網の有無
取得部２は、輸液セットを構成する部品の部品情報として、輸液剤に混入した細菌、真菌、微粒子をろ過するフィルター及び／又はろ過網の有無に関する情報を取得する。
【００４４】
ＶＩＩＩ．下流部の形状
下流部の形状とは、輸液セットの輸液ラインの遠位端の形状を意味する。本実施形態の取得部２は、輸液セットの下流部の形状として、コネクタの種類に関する情報を取得する。コネクタの種類としては、例えば、メスルアーの外壁に対して螺合可能なルアーロック式オスコネクタや、メスルアーに嵌合して接続されるルアースリップ式オスコネクタなどが挙げられ、本実施形態の取得部２は、輸液セットの下流部の形状として、これらのうちいずれかの種類が特定される情報を取得する。
【００４５】
ＩＸ．混注用コネクタの有無、種類、個数及び色
取得部２は、輸液セットにおける混注用コネクタの有無、種類、個数及び色についての情報を取得する。混注用コネクタの種類としては、例えば、所謂Ｔポートと呼ばれるＴ字型コネクタ、三方活栓、複数のＴ字型コネクタが連結されたＴ字型コネクタの連結体、複数の三方活栓が連結された三方活栓の連結体などが挙げられる。取得部２は、混注用コネクタの有無についての情報を取得し、取得部２が取得した情報が「混注用コネクタ有り」の場合、取得部２は、上述の混注用コネクタの中から１種又は複数種が特定される情報を取得する。
【００４６】
更に、取得部２は、取得した混注用コネクタの個数に関する情報を、混注用コネクタの種類毎に取得する。また、取得部２は、例えば三方活栓のコックの色など、混注用コネクタの一部又は全部の色情報を取得する。
【００４７】
なお、取得部２が、上述した混注用コネクタの有無に関して「混注用コネクタ有り」との部品情報を取得した場合には、点滴筒に対して輸液ラインの下流側（輸液ラインの遠位端側）でこの点滴筒と接続されるチューブ以外に、混注用コネクタに対して輸液ラインの下流側でこの混注用コネクタに接続されるチューブが必要になるため、取得部２は、混注用コネクタの有無情報に基づいて、混注用コネクタの下流側端部に接続されるチューブの有無情報を併せて取得することができる。従って、取得部２は、上述した混注用コネクタの個数情報に基づいて、混注用コネクタの輸液ライン下流側端部に接続されるチューブの本数情報を取得することができる。混注用コネクタの輸液ライン下流側端部と接続されるチューブの種類については後述する。
【００４８】
Ｘ．クランプの有無、種類及び個数
取得部２は、輸液剤の送液量と速度を手動で調節可能なクランプの有無、種類及び個数を取得する。具体的に、本実施形態の取得部２は、クランプの種類毎に、クランプの有無に関する情報を取得する。また、本実施形態の取得部２は、例えば、ワンタッチクランプなどの一部のクランプの種類に関しては、クランプの有無に関する情報に加えて、クランプの個数に関する情報を取得する。クランプの種類としては、例えば、ローラークランプ、ワンタッチクランプ、スライドクランプなどが挙げられる。より具体的に、ローラークランプには、ポンプ方式及び自然落下方式に兼用可能な兼用クランプと、自然落下方式用クランプと、の２種類があり、手動調節により可変可能な最小変化量（単位変化量）がそれぞれ異なる。兼用クランプの最小変化量は、手動で微調整が可能なように、自然落下方式用クランプの最小変化量よりも小さくなるように構成されている。
【００４９】
なお、上述の落下方式の項目で説明したように、落下方式は、点滴筒に対して輸液ラインの下流側で接続されるチューブ及びこのチューブに取り付けられるクランプの仕様に関連付けられているため、取得部２が取得した輸液剤の落下方式がポンプ方式である場合、本実施形態の取得部２は、点滴筒に対して輸液ラインの下流側で接続されるチューブに兼用クランプが取り付けられる構成であることを特定する部品情報を取得する。また、取得部２が取得した落下方式が自然落下方式である場合、本実施形態の取得部２は、点滴筒に対して輸液ラインの下流側で接続されるチューブに自然落下方式用クランプが取り付けられる構成であることを特定する部品情報を取得する。
【００５０】
また、上述したように、混注用コネクタの有無情報及び個数情報に基づいて、混注用コネクタに対して輸液ラインの下流側で接続されるチューブの本数が特定される。従って、取得部２は、混注用コネクタの輸液ライン下流側端部に接続されるチューブに対して取り付けられるクランプの有無、種類及び個数についての情報を更に取得する。
【００５１】
ＸＩ．チューブとコネクタとの接続構造
取得部２は、輸液セットにおけるチューブと混注用コネクタとの接続構造についての情報を取得する。輸液セットにおけるチューブと混注用コネクタとの接続構造としては、例えば、ルアーロック式コネクタ又はルアースリップ式コネクタを使用した着脱可能な接続方法、或いはチューブと混注用コネクタとを接着した接続構造が挙げられる。取得部２は、輸液セットにおけるチューブと混注用コネクタとの接続構造として、これら２つのうちいずれかの接続構造を特定する情報を取得する。
【００５２】
ＸＩＩ．輸液ラインにおいて混注用コネクタの下流側に接続されるチューブの種類  取得部２は、輸液ラインにおいて混注用コネクタの下流側に接続されるチューブの種類を取得する。チューブの種類としては、例えば、上述した兼用チューブや自然落下方式用チューブ、これらチューブよりも内径及び外径が小さい小径チューブなどが挙げられる。取得部２は、これらのうち１つの種類を特定する情報を取得する。
【００５３】
以上のように、上述したステップＳ２では、本実施形態の取得部２が、輸液セットを構成する部品の各種部品情報を取得する。なお、本実施形態の取得部２は、上述した部品情報を取得するように構成されているが、上述の部品情報に限られるものではなく、例えば、上述のいずれかの部品情報に代えて別の部品情報を取得するようにしてもよい。また、上述の部品情報に加えて追加の部品情報を取得するようにしてもよい。更に、上述の部品情報のうち、一部の部品情報のみを取得するようにしてもよい。
【００５４】
また、本実施形態の取得部２は、例えばチューブの種類や混注用コネクタの種類などに関し、所定の選択肢の中から１つを特定する情報を取得しているが、上述した選択肢に限られるものではなく、その他の汎用部品を加えた選択肢とすることも可能である。
【００５５】
次に、部品情報と異なる情報に関連付けられて生成された、輸液セットのデータベースから、ステップＳ２で取得された部品情報に対応する輸液セットを検索するステップＳ３について説明する。ステップＳ３では、検索部３が、記憶部４の輸液セットのデータベースから、上述したステップＳ２において取得部２が取得した輸液セットの部品情報に対応する輸液セットを検索する。なお、本実施形態の検索部３は、取得部２が取得した部品情報と一致する部品情報を含む輸液セットを検索する。つまり、本実施形態の取得部２は、上述したステップＳ２において、例えば、チューブの長さに関する部品情報を取得していないため、検索部３は、チューブの長さに関わらず、取得部２が取得した部品情報のみに関して検索を実行し、取得部２が取得した部品情報と一致する部品情報を含む全ての標準品を見つけ出す。なお、本実施形態では、上述したように、「部品情報と異なる情報」として、過去の生産数情報を用いている。
【００５６】
次に、データベースの輸液セットのうち、ステップＳ２で取得した部品情報に対応する輸液セットについての情報を表示部７に出力するステップＳ４について説明する。ステップＳ４では、出力部５における表示出力部８が、検索部３による検索結果を、表示部７に表示出力する。
【００５７】
なお、このステップＳ４では、ステップＳ３での検索結果として、例えば、ステップＳ２で取得した部品情報に対応する、データベースにおける全ての輸液セットそれぞれについて、輸液セットのイメージ画像及び輸液セットの構成部品の部品情報を表示部７に表示することができる。
【００５８】
輸液セット検索装置１の操作者は、このステップＳ４で表示部７に表示された、ステップＳ３での検索結果を確認し、輸液セットの部品情報を変更して検索部３による再検索を実行させるか否かを決定する。再検索を実行する場合、取得部２は、変更された部品情報を取得し、上述した方法により、ステップＳ２及びＳ３を再度実行する。なお、輸液セットの部品情報の変更とは、ステップＳ２で取得した部品情報をそれと排他的な別の部品情報へと変更すること（例えば所定部品の種類の変更）、ステップＳ２で取得した部品情報に別の部品情報を追加すること、ステップＳ２で取得した部品情報の一部を削除することなど、を意味する。
【００５９】
例えば、上述のステップＳ２において、取得部２が、瓶針の種類、混注用コネクタの種類及び個数、ワンタッチクランプの個数などの一部の部品情報を取得しない状態として、ステップＳ３の検索部３による検索を実行し、ステップＳ４において表示部７に表示された、例えばヒット件数などの検索結果に応じて、取得部２が、これらの一部の部品情報を追加で取得し、検索部３による再検索を実行させるようにしてもよい。
【００６０】
再検索を実行しない場合、又は再検索による標準品の絞り込みが完了した場合には、操作者は、表示部７に表示された輸液セットから１つの輸液セットを選択する。再検索を実行しない場合、又は再検索による標準品の絞り込みが完了した場合とは、例えば、上述したステップＳ４において表示部７に表示出力された輸液セットの標準品の中に、ユーザーの要求を満足する標準品（ここでは、ユーザーの要求する仕様に完全一致する標準品又はこの標準品と代用可能であるとユーザーが判断した、ユーザーの要求する仕様と類似する標準品を意味する。）があった場合、或いは、そのままではユーザーの要求を満足しないが、一部の部品を変更すればユーザーの要求を満足する標準品があった場合などが挙げられる。かかる場合には、輸液セット検索装置１による輸液セットの検索を完了し、ステップＳ５〜Ｓ８の輸液セットの設計及び発注へと進む。
【００６１】
次に、表示部７に表示出力された輸液セットから１つの輸液セットを選択するステップＳ５について説明する。ステップＳ５では、輸液セット検索装置１の操作者が、ステップＳ４において表示部７に表示出力された、検索部３による検索結果としての輸液セットの一覧から、１つの輸液セットを選択する。１つの輸液セットが選択されると、出力部５の表示出力部８が、選択された１つの輸液セットの詳細情報を表示部７に表示出力する。これにより操作者は、選択した輸液セットの詳細情報を、表示部７を通じて確認することができる。なお、輸液セットの詳細情報としては、例えば、輸液セットを特定する識別番号などの識別情報、チューブ長さや部品名などの部品情報、輸液セットのイメージ画像などが挙げられる。また、このステップＳ５で選択される「１つの輸液セット」とは、本実施形態の場合、１つ（１種）の標準品を意味するものである。
【００６２】
輸液セット検索装置１の操作者は、このステップＳ５で表示部７に表示された輸液セットの詳細情報を確認し、この輸液セットを発注する（外部装置５０に輸液セットの識別情報を送信する）か、又は、この輸液セットの部品を変更する設計を行うかを決定する。表示部７に表示された輸液セットを発注する場合には、次のステップＳ６を実行せずに、後述するステップＳ７を実行する。具体的には、取得部２が、操作者からの発注指示情報（外部装置５０への送信指示情報と同じ。）を取得した場合に、出力部５の送信部９は、外部装置５０に対して輸液セットを特定する識別情報を送信する。
【００６３】
これに対して、表示部７に表示された輸液セットの部品を変更する設計を行う場合には、次のステップＳ６へと進む。
【００６４】
次に、ステップＳ５で選択された、データベースの１つの輸液セットについて、この輸液セットを構成する部品を変更するステップＳ６について説明する。ステップＳ５で選択された１つの輸液セットは、上述したように、ステップＳ２で取得された部品情報に対応する、データベースの１つの輸液セットである。つまり、ステップＳ５において選択された１つの輸液セットは、データベースに登録されている標準品のうちの１種である。従って、このステップＳ６では、輸液セットの標準品を構成する部品を変更することによって、ユーザーの要求を満足する輸液セットの特殊仕様品を設計することができる。
【００６５】
出力部５の表示出力部８は、表示部７に、上述のステップＳ５で選択された、１つの標準品としての輸液セットの詳細情報を表示出力する。操作者は、この詳細情報を確認しながら、輸液セットの部品を変更することができる。具体的に、取得部２は、輸液セットの部品を変更する変更情報を取得することができる。また、取得部２が、部品の変更情報を取得すると、出力部５の表示出力部８が、表示部７に対して、変更された輸液セットの詳細情報を表示出力する。なお、ここでいう「部品の変更情報」とは、部品の追加、削除及び置換のみならず、例えばチューブ長さの変更など各部品の仕様の変更をも含むものである。
【００６６】
次に、ステップＳ５で選択された１つの輸液セット又はステップＳ５で選択されてステップＳ６で部品が変更された１つの輸液セット、を特定する識別情報を外部装置５０へと送信するステップＳ７について説明する。ステップＳ７では、ステップＳ５においてユーザーの要求を満足する標準品として選択された１つの輸液セット又はステップＳ６において部品が変更された特殊仕様品としての１つの輸液セット、の識別情報を外部装置５０のへと送信するステップである。具体的には、出力部５の送信部９が、この識別情報を外部装置５０に送信する。このステップにより送信された識別情報は、外部装置５０で受信され、輸液セットの提供者により発注情報として受領されることにより、輸液セットの発注が完了する。
【００６７】
最後に、外部装置５０へと送信された識別情報により特定される輸液セットがステップＳ６において部品が変更された１つの輸液セットである場合、その輸液セットを、所定条件下で、データベースに登録するステップＳ８について説明する。このステップＳ８は、送信された識別情報により特定される輸液セットがデータベースにない場合、所定条件下で、輸液セットをデータベースに登録するものである。具体的に、本実施形態の制御部６は、外部装置５０に対して送信された識別情報により特定される輸液セットが、標準品の一部の部品が変更された特殊仕様品である場合に、その輸液セットを、所定条件下で、記憶部４のデータベースに登録する。より具体的に、本実施形態では、送信部９により外部装置５０に対して識別情報が送信された特殊仕様品について、同一仕様の特殊仕様品が所定回数以上、外部装置５０に対して送信された場合、すなわち、同一仕様の特殊仕様品が所定回数以上、発注された場合に、制御部６は、この特殊仕様品を、記憶部４のデータベースへと追加で登録する。なお、所定回数以上の発注によりデータベースに登録される特殊仕様品を、以下、「準標準品」と呼ぶ。
【００６８】
より具体的に、このステップＳ８は、輸液セット検索装置１に設けられた発注回数カウンタ部が、ステップＳ６において部品が変更された輸液セットについての発注回数をカウントするステップと、制御部６が、この発注回数カウンタ部によるカウント数が所定数以上になった場合に、記憶部４のデータベースに輸液セットを追加登録するステップと、を含むものである。
【００６９】
ここで、本実施形態では、特殊仕様品を準標準品としてデータベースに追加登録する条件として発注回数に閾値を設定しているが、このような閾値に限られるものではなく、例えば、売上額に閾値を設けるなど、適当な条件を適宜設定することが可能である。なお、このような閾値を設定することなく、送信部９から外部装置５０に識別情報が送信される度に、記憶部４のデータベースに追加登録するようにすることも可能であるが、本実施形態では、輸液セットの標準品をデータベース化しているため、上述のように所定の閾値を設定することが特に好ましい。
【００７０】
以上のように、本実施形態の輸液セット検索装置１は、医師等のユーザーの要求を満足する輸液セットを、まず、輸液セットの提供者側が保持する標準品の中から検索するため、特殊仕様品の過度な発注を低減することができる。また、本実施形態の輸液セット検索装置１によれば、ユーザーの要求を満足する輸液セットが、標準品の中になかったとしても、標準品を基にして、一部の部品を置換等することにより、特殊仕様品を設計することができると共に、輸液セットの提供者への発注をも行うことができるため、ユーザーによる輸液セットの特殊仕様品の設計及び発注が容易化される。
【００７１】
更に、本実施形態の輸液セット検索装置１は、特殊仕様品であったとしても、発注数等の所定の条件を満足すれば、準標準品として、データベースに追加登録するように構成されているため、輸液セットのデータベースを、多数のユーザーの要求を反映した、輸液セットの標準品及び準標準品で構成されるデータベースとして、随時アップデートしていくことができる。
【００７２】
なお、本実施形態の取得部２、検索部３、記憶部４、出力部５及び制御部６は、ＣＰＵなどのプロセッサー、メモリ、各種インターフェイス、ディスプレイなどを組み合わせることにより構成される。
【００７３】
＜実施形態２＞
次に、本発明に係る輸液セット検索装置の一実施形態としての輸液セット検索装置２１、及びこの輸液セット検索装置２１を備える輸液セット検索システム１００について説明する。図３は、輸液セット検索システム１００の概要を示す図であり、図４は、輸液セット検索システム１００を構成する、輸液セット検索装置２１、外部装置５０としての携帯情報他端末５２、及び外部装置５０としての受信装置５３のブロック図である。以下、図３及び図４を参照して、輸液セット検索装置２１、及びこの輸液セット検索装置２１を備える輸液セット検索システム１００について説明する。
【００７４】
まず、本実施形態の輸液セット検索装置２１について説明する。本実施形態の輸液セット検索装置２１は、取得部２２と、検索部２３と、記憶部２４と、出力部２５と、制御部２６と、を備える。本実施形態の輸液セット検索装置２１は、上述した実施形態１の輸液セット検索装置１と比較して、主に、取得部が輸液セットの部品情報を取得する取得態様が相違する。ここでは、主に、本実施形態の輸液セット検索装置２１と、実施形態１の輸液セット検索装置１との相違点について説明する。
【００７５】
取得部２２は、輸液セット検索装置２１とは別装置である外部装置５０から、輸液セットを構成する部品情報を受信する受信部２７を備える。つまり、取得部２２は、受信部２７を通じて輸液セットの各種部品情報を取得する。本実施形態では、取得部２２における受信部２７が、外部装置５０としての携帯情報端末５２の送信部５４から有線又は無線通信により送信された、輸液セットの部品情報を受信する。
【００７６】
なお、本実施形態の取得部２２における受信部２７は、後述する検索部２３による検索後に、検索部２３に再検索させるために変更された各種部品情報を受信することができる。例えば、検索部２３の検索結果として示された輸液セットの標準品が所定数以上存在する場合には、取得部２２の受信部２７が、輸液セットの追加部品情報を更に受信することにより、検索部２３による再検索のヒット件数を絞ることができる。
【００７７】
記憶部２４は、少なくとも輸液セットを構成する部品の部品情報とは異なる情報に関連付けられて生成された、輸液セットのデータベースを保持している。なお、本実施形態の記憶部２４が保持するデータベースの輸液セットは、上述した実施形態１の記憶部４のデータベースと同様、輸液セットの部品情報、及び輸液セットの部品情報と異なる情報としての過去の生産数情報に関連付けられて体系化されているが、輸液セットの部品情報と異なる情報としては、この生産数情報に限られるものではなく、例えば過去の売上情報など、適宜設定することができる。
【００７８】
本実施形態の検索部２３は、取得部２２が取得した輸液セットの各種部品情報に対応する輸液セットを、記憶部２４が保持する輸液セットのデータベースから検索する。なお、取得部２２が、検索部２３の検索後に、変更された各種部品情報を受信した場合、検索部２３は再検索を実行する。
【００７９】
本実施形態の出力部２５は、検索部２３が検索した結果を外部装置５０に送信する送信部２８を備える。より具体的に、本実施形態の出力部２５における送信部２８は、有線又は無線通信により、外部装置５０としての携帯情報端末５２の受信部５５へ、検索部２３の検索結果を送信する。
【００８０】
本実施形態の制御部２６は、上述した取得部２２、検索部２３、記憶部２４、及び出力部２５の各部に対して動作タイミングやその動作の指示等を行う。
【００８１】
このような本実施形態の輸液セット検索装置２１は、例えば、外部装置５０と有線又は無線通信が可能な、コンピュータやサーバ等により実現することができる。なお、本実施形態の取得部２２、検索部２３、記憶部２４、出力部２５及び制御部２６は、ＣＰＵなどのプロセッサー、メモリ、各種インターフェイスなどを組み合わせることにより構成される。
【００８２】
また、本実施形態では、輸液セット検索装置２１が有線又は無線通信を行う外部装置５０として、携帯情報端末５２を示しているが、輸液セット検索装置２１と有線又は無線通信によりデータの送受信を行うことができるものであればよく、携帯情報端末５２に限られるものではない。例えば、輸液セット検索装置２１と通信可能な外部装置５０として、デスクトップ型コンピュータなどの固定型の情報端末を用いることも可能である。
【００８３】
［輸液セット検索システム１００］
以下、輸液セット検索システム１００について説明する。この輸液セット検索システム１００は、実施形態１の輸液セット検索装置１と同様、本発明の一実施形態としての輸液セット検索方法を実行するものである。
【００８４】
図３及び図４に示すように、輸液セット検索システム１００は、輸液セット検索装置２１と、外部装置５０としての携帯情報端末５２と、外部装置５０としての受信装置５３と、を備える。輸液セット検索装置２１は上述した通りであるため、ここでは説明を省略する。
【００８５】
［携帯情報端末５２］
図３に示すように、携帯情報端末５２は、ユーザーインターフェイスとしてタッチスクリーンディスプレイ６０を備える。また、図４に示すように、携帯情報端末５２は、取得部５６と、記憶部５７と、出力部５８と、制御部５９とを備える。以下、説明の便宜上、携帯情報端末５２の上記各部を、「端末側取得部５６」、「端末側記憶部５７」、「端末側出力部５８」、及び「端末側制御部５９」と記載するが、これは単に、輸液セット検索装置２１の取得部２２、記憶部２４、出力部２５、及び制御部２６と区別するためである。
【００８６】
端末側取得部５６は、輸液セットの部品情報を、タッチスクリーンディスプレイ６０を介して入力可能な情報入力部６１と、輸液セット検索装置２１の検索部２３の検索結果を受信する上述の受信部５５と、を備える。端末側出力部５８は、輸液セットの部品情報を輸液セット検索装置２１に送信する上述の送信部５４と、例えば検索部２３の検索結果などをタッチスクリーンディスプレイ６０に表示出力する表示出力部６２と、を備える。
【００８７】
端末側記憶部５７は、輸液セットの部品情報を入力する際のタッチスクリーンディスプレイ６０の画面デザインのプログラム、輸液セット検索装置２１の検索部２３による検索結果をタッチスクリーンディスプレイ６０に表示させるためのプログラムなど、携帯情報端末５２側で操作者により使用されるアプリケーションを動作させるための各種プログラムが記憶されている。
【００８８】
端末側制御部５９は、上述した端末側取得部５６、端末側記憶部５７、及び端末側出力部５８の各部に対して動作タイミングやその動作の指示等を行う。
【００８９】
なお、上述した携帯情報端末５２は、ユーザーインターフェイスとしてタッチスクリーンディスプレイ６０を備えるため、操作者は、このタッチスクリーンディスプレイ６０を介して部品情報等の情報を外部入力することができると共に、表示部でもあるタッチスクリーンディスプレイ６０を通じて、輸液セット検索装置２１の検索部２３による検索結果などを確認することもできる。但し、輸液セット検索システム１００における携帯情報端末５２としては、タッチスクリーンディスプレイを備える構成に限られるものではなく、例えば、ユーザーインターフェイスとして情報の外部入力を可能にするキーボードなどの外部入力手段と、情報を表示するディスプレイなどの表示手段とを、別々に備える構成としてもよい。
【００９０】
ここで、上述した携帯情報端末５２の端末側取得部５６、端末側記憶部５７、端末側出力部５８、及び端末側制御部５９は、ＣＰＵなどのプロセッサー、メモリ、タッチスクリーンディスプレイ６０のような各種インターフェイスなどを組み合わせることにより構成される。
【００９１】
［受信装置５３］
受信装置５３は、図３及び図４に示すように、上述の携帯情報端末５２から、有線又は無線通信により情報を受信する受信部４９を備える。携帯情報端末５２の送信部５４は、端末側取得部５６が取得した、例えば輸液セットの発注指示情報などの、受信装置５３への送信指示情報に基づいて、受信装置５３に対して、所定の輸液セットを特定する識別情報を送信する。受信装置５３の受信部４９は、この識別情報を受信する。受信装置５３が受信した識別情報に基づき、輸液セットの発注が完了する。
【００９２】
なお、図３及び図４で示す受信装置５３は、上述した輸液セット検索装置２１とは別装置の外部装置５０であるが、このような構成に限られるものではなく、例えば、上述した輸液セット検索装置２１の受信部２７が、携帯情報端末５２の端末側出力部５８における送信部５４から送信される輸液セットの識別情報を受信するようにしてもよい。
【００９３】
［輸液セット検索システム１００を用いた輸液セット検索方法］
次に、輸液セット検索システム１００により実行される、本発明の一実施形態としての輸液セット検索方法について説明する。なお、ここで実行される輸液セット検索方法は、図２に示すものと同様であり、輸液セット検索システム１００は、本発明の一実施形態としての輸液セット検索方法による輸液セットの検索に加えて、輸液セットの設計及び発注を実行可能である。以下、図２を参照して、輸液セット検索システム１００による、輸液セットの検索、設計及び発注方法について説明する。
【００９４】
輸液セット検索システム１００による輸液セットの検索、設計及び発注方法は、輸液セットのユーザー情報を取得するステップＳ１と、輸液セットを構成する部品の部品情報を取得するステップＳ２と、部品情報と異なる情報に関連付けられて生成された、輸液セットのデータベースから、ステップＳ２で取得された部品情報に対応する輸液セットを検索するステップＳ３と、データベースの輸液セットのうち、ステップＳ２で取得した部品情報に対応する輸液セットについての情報を表示部としてのタッチスクリーンディスプレイ６０に出力するステップＳ４と、出力された輸液セットから１つの輸液セットを選択するステップＳ５と、ステップＳ５で選択された、データベースの１つの輸液セットについて、この輸液セットを構成する部品を変更するステップＳ６と、ステップＳ５で選択された１つの輸液セット又はステップＳ５で選択されてステップＳ６で部品が変更された１つの輸液セット、を特定する識別情報を外部装置５０としての受信装置５３へと出力するステップＳ７と、出力された識別情報により特定される輸液セットがステップＳ６において部品が変更された１つの輸液セットの場合、その輸液セットを、所定条件下で、データベースに登録するステップＳ８と、を含む。以下、上記各ステップＳ１〜Ｓ８について詳細に説明する。
【００９５】
まず、輸液セットのユーザー情報を取得するステップＳ１について説明する。図５は、携帯情報端末５２において、タッチスクリーンディスプレイ６０を通じて、輸液セットのユーザー情報を入力するユーザー情報入力画面を示す図である。ステップＳ１では、携帯情報端末５２の端末側取得部５６が、輸液セットのユーザーに関するユーザー情報を取得する。具体的に、本実施形態の端末側取得部５６は、操作者によりタッチスクリーンディスプレイ６０を通じて情報入力部６１に入力された、病院名、部署名、担当者名などの輸液セットのユーザーについてのユーザー情報を、取得する。
【００９６】
なお、携帯情報端末５２の操作者が、ユーザー情報を入力後に、図５に示す「次へ」ボタンをタップすると、携帯情報端末５２の表示出力部６２は、タッチスクリーンディスプレイ６０に、輸液セットを構成する部品の部品情報を入力する部品情報入力画面を表示出力する。
【００９７】
次に、輸液セットを構成する部品の部品情報を取得するステップＳ２について説明する。図６は、携帯情報端末５２において、タッチスクリーンディスプレイ６０を通じて、ユーザーが要求する仕様の輸液セットについての部品情報を入力する部品情報入力画面を示す図である。ステップＳ２では、携帯情報端末５２の端末側取得部５６が、輸液セットの各種部品情報を取得する。具体的に、本実施形態の端末側取得部５６は、操作者によりタッチスクリーンディスプレイ６０を通じて情報入力部６１に入力された、瓶針、点滴筒、クランプ、混注用コネクタ、輸液セットを他の医療用器具と接続する輸液ラインの遠位端部に位置するコネクタ、及びチューブに関しての部品情報を、取得する。
【００９８】
なお、この輸液セット検索システム１００では、図６に示すように、輸液剤の落下方式、ＡＦＦクリップの有無、単位時間当たりの滴下数、中間チューブの有無、フィルターの有無、下流部の形状、ろ過網の有無、及び混注用コネクタの色を、ステップＳ２において取得しているが、これらの部品情報に限られるものではなく、実施形態１で説明した各種部品情報を、このステップＳ２で取得するようにしてもよい。
【００９９】
また、この輸液セット検索システム１００は、図６に示すように、輸液セットの検索に加えて、輸液セットに用いられる一部品としての延長チューブの検索も可能なように構成されている。すなわち、携帯情報端末５２の操作者が、図６に示す「カテゴリー」欄の「延長チューブ」ボタンをタップし、延長チューブについての仕様を入力することにより、延長チューブの標準品を検索することも可能である。ここでは、図６に示す「カテゴリー」欄の「輸液セット」が選択された場合について説明するが、「延長チューブ」が選択された場合であっても、同様の方法により、延長チューブの標準品を検索することができる。
【０１００】
携帯情報端末５２の操作者が、輸液セットの部品情報を入力後に、図５に示す「次へ」ボタンをタップすると、後述のステップＳ３の検索が実行される。
【０１０１】
次に、輸液セットの部品情報と異なる情報に関連付けられて生成された、輸液セットのデータベースから、ステップＳ２で取得された部品情報に対応する輸液セットを検索するステップＳ３について説明する。この輸液セット検索システム１００では、輸液セットの部品情報と異なる情報として、実施形態１において説明した過去の生産数情報を使用しており、輸液セット検索装置２１の記憶部２４におけるデータベースの輸液セットは、輸液セットを構成する部品の部品情報と、過去の生産数情報とに関連付けられて生成されている。
【０１０２】
ステップＳ３では、輸液セット検索装置２１の検索部２３が、輸液セット検索装置２１の記憶部２４における輸液セットのデータベースから、上述したステップＳ２において携帯情報端末５２の端末側取得部５６が取得した輸液セットの部品情報に対応する輸液セットを検索する。
【０１０３】
より具体的に、このステップＳ３は、携帯情報端末５２の端末側出力部５８における送信部５４が、上述したステップＳ２において携帯情報端末５２の端末側取得部５６が取得した輸液セットの部品情報を、輸液セット検索装置２１に送信するステップと、送信された部品情報を輸液セット検索装置２１の取得部２２における受信部２７が受信するステップと、受信部２７が受信した輸液セットの各種部品情報に対応する輸液セットを、輸液セット検索装置２１の記憶部２４が保持する輸液セットのデータベースから検索するステップと、を含むものである。
【０１０４】
次に、データベースの輸液セットのうち、ステップＳ２で取得した部品情報に対応する輸液セットについての情報を表示部としてのタッチスクリーンディスプレイ６０に出力するステップＳ４について説明する。図７は、携帯情報端末５２のタッチスクリーンディスプレイ６０に、輸液セット検索装置２１の検索部２３による検索結果を表示した画面を示す図である。図７に示すように、ステップＳ４では、携帯情報端末５２の端末側出力部５８における表示出力部６２が、輸液セット検索装置２１の検索部２３による検索結果を、表示部としてのタッチスクリーンディスプレイ６０に表示出力する。
【０１０５】
より具体的に、このステップＳ４は、輸液セット検索装置２１の出力部２５における送信部２８が、上述のステップＳ３での検索部２３による検索結果を、携帯情報端末５２に送信するステップと、送信された検索結果を携帯情報端末５２の端末側取得部５６の受信部５５が受信するステップと、携帯情報端末５２の端末側出力部５８における表示出力部６２が、受信部５５が受信した検索結果をタッチスクリーンディスプレイ６０に表示出力するステップと、を含むものである。
【０１０６】
なお、図７に示すように、このステップＳ４では、ステップＳ３での検索結果として、例えば、ステップＳ２で取得した部品情報に対応する、データベースの全ての輸液セットそれぞれについて、輸液セットのイメージ画像及び輸液セットの構成部品の部品情報をタッチスクリーンディスプレイ６０に表示することができる。また、ステップＳ２で取得した部品情報に対応する輸液セットの構成部品を、タッチスクリーンディスプレイ６０上で強調表示するようにすることも可能である。図７では、輸液セットのイメージ画像中に、ステップＳ２で取得した部品情報に対応する構成部品を強調表示するため、丸印が表示されている。このようにすることにより、ステップＳ３で検索された各輸液セットにおいて、ステップＳ２で取得した部品情報に対応する構成部品が、どのように組み込まれているか操作者が認識し易くなり、その結果、ユーザーの要求する輸液セットが見つけ易くなる。但し、強調表示する方法は、図７に示す丸印に限られるものではなく、例えば、文字の色や太さの違いを利用してもよい。
【０１０７】
携帯情報端末５２の操作者は、このステップＳ４でタッチスクリーンディスプレイ６０に表示された、ステップＳ３での検索結果を確認し、輸液セットの部品情報を変更して輸液セット検索装置２１の検索部２３による再検索を実行させるか否かを決定する。再検索を実行する場合、携帯情報端末５２の端末側取得部５６は、変更された部品情報を取得し、上述した方法により、ステップＳ２及びＳ３を再度実行する。なお、輸液セットの部品情報の変更とは、ステップＳ２で取得した部品情報をそれと排他的な別の部品情報へと変更すること（例えば所定部品の種類の変更）、ステップＳ２で取得した部品情報に別の部品情報を追加すること、ステップＳ２で取得した部品情報の一部を削除することなど、を意味する。
【０１０８】
この輸液セット検索システム１００では、図７に示すように、ステップＳ３での検索結果に加えて、ステップＳ２で取得した部品情報の変更を受け付ける部品情報入力欄を、タッチスクリーンディスプレイ６０に表示する（図７に示す画面の左欄）。この輸液セット検索システム１００では、ステップＳ２で取得した部品情報に別の部品情報を追加する変更として、瓶針の種類、定量筒の有無、クランプの個数、混注用コネクタの種類及び個数などの部品情報を追加することができる。但し、ここで追加される部品情報としては、上記列挙したものに限らず、例えば、チューブと混注用コネクタとの接続構造や、混注用コネクタの下流側に接続されるチューブの種類などを、部品情報として追加するようにしてもよい。なお、図７における「部品情報入力」欄では、説明の便宜上、部品の種類を大文字のアルファベットで区別している。また、図７における「検出結果一覧」欄では、説明の便宜上、各輸液セットの識別番号を、「ＡＡ−ＡＡＡＡＡ」等で表している。
【０１０９】
また、この輸液セット検索システム１００では、図７に示す画面において部品情報の変更を受け付けると、上述したステップＳ３及びステップＳ４が実行される。つまり、この輸液セット検索システム１００では、携帯情報端末５２の端末側取得部５６が、ステップＳ４が実行された後に、ステップＳ２で取得した部品情報から変更された部品情報を取得すると、携帯情報端末５２の端末側出力部５８の送信部５４が、輸液セット検索装置２１へと変更された部品情報を送信し、輸液セット検索装置２１の検索部２３による再検索が実行される（ステップＳ３）。更に、輸液セット検索装置２１の送信部２８が、検索部２３による再検索結果を携帯情報端末５２へと送信し、端末側取得部５６の受信部５５がその再検索結果を受信し、次いで端末側出力部５８の表示出力部６２が、その再検索結果をタッチスクリーンディスプレイ６０に表示出力する（ステップＳ４）。
【０１１０】
このように、携帯情報端末５２の端末側取得部５６が、ステップＳ４が実行された後に、ステップＳ２で取得した部品情報から変更された部品情報を取得すると、この取得に基づいて、ステップＳ３及びステップＳ４が実行され、タッチスクリーンディスプレイ６０に表示される検索部２３による検索結果が更新される。従って、携帯情報端末５２の操作者は、タッチスクリーンディスプレイ６０上で部品情報の変更を行うだけで、同じタッチスクリーンディスプレイ６０上で検索部２３による再検索結果を確認することができる。なお、このような部品情報の変更は何度でも行うことが可能であり、その都度、上述したステップＳ３及びステップＳ４が実行される。
【０１１１】
これに対して、再検索を実行しない場合、又は再検索による標準品の絞り込みが完了した場合には、操作者は、タッチスクリーンディスプレイ６０に表示出力された輸液セットから１つの輸液セットを選択する。ここで、再検索を実行しない場合、又は再検索による標準品の絞り込みが完了した場合とは、例えば、上述したステップＳ４においてタッチスクリーンディスプレイ６０に出力された輸液セットの標準品の中に、ユーザーの要求を満足する標準品（ここでは、ユーザーの要求する仕様に完全一致する標準品又はこの標準品と代用可能であるとユーザーが判断した、ユーザーの要求する仕様と類似する標準品を意味する。）があった場合、或いは、そのままではユーザーの要求を満足しないが、一部の部品を変更すればユーザーの要求を満足する標準品があった場合などが挙げられる。かかる場合には、輸液セット検索システム１００による輸液セットの検索を完了し、ステップＳ５〜Ｓ８の輸液セットの設計及び発注へと進む。
【０１１２】
次に、タッチスクリーンディスプレイ６０に表示出力された輸液セットから１つの輸液セットを選択するステップＳ５について説明する。図８は、ステップＳ４によりタッチスクリーンディスプレイ６０に表示出力された検索結果（図７参照）から、１つの輸液セットを選択した場合に表示出力される表示画面を示す図である。つまり、図７に示す画面に表示出力された、検索部２３による検索結果としての輸液セット一覧から、操作者が１つの輸液セットを選択すると、携帯情報端末５２の表示出力部６２が、選択された１つの輸液セットの詳細情報をタッチスクリーンディスプレイ６０に表示出力する（図８参照）。操作者は、図８に示す画面によって、選択した輸液セットの詳細情報を確認することができる。なお、輸液セットの詳細情報としては、例えば、輸液セットを特定する識別番号などの識別情報、部品名やチューブ長さやチューブの外径及び内径や部品間の接続方法などの輸液ラインの各位置における部品情報、輸液セットのイメージ画像などが挙げられる。
【０１１３】
図８では、画面上部に表示された輸液セットのイメージ画像において輸液ラインの各位置を表す番号が付けられ、画面下部において、イメージ画像に付けられた各番号が表す輸液ラインの位置での部品情報が表示されている。また、図８では、画面下部において、輸液セットを概略的に表現した構成図が表示されている。この構成図には、輸液セットの部品情報の種類に応じて、異なる形状のアイコンが用いられており、操作者はこれらアイコンの形状を識別することにより、部品情報の種類を識別することができる。例えば、図８に示す構成図では、チューブに関する部品情報を丸印のアイコンで、部品間の接続に関する部品情報を小さい長方形のアイコンで、チューブ以外の部品に関する部品情報を正方形のアイコンで表している。
【０１１４】
携帯情報端末５２の操作者は、このステップＳ５でタッチスクリーンディスプレイ６０に表示された、１つの輸液セットの詳細情報を確認し、表示された１つの輸液セットを発注する（受信装置５３に輸液セットの識別情報を送信する）か、又は、表示された１つの輸液セットの部品を変更する設計を行うかを決定する。表示された１つの輸液セットを発注する場合には、次のステップＳ６を実行せずに、後述するステップＳ７を実行する。具体的には、携帯情報端末５２の端末側取得部５６が、操作者からの発注指示情報（又は受信装置５３への送信指示情報）を取得した場合、すなわち、図８では、操作者によりタッチスクリーンディスプレイ６０の「発注」ボタンがタップされた場合、端末側出力部５８の送信部５４は、受信装置５３に対して輸液セットを特定する識別情報を送信する。
【０１１５】
これに対して、表示された１つの輸液セットの部品を変更する設計を行う場合には、次のステップＳ６へと進む。具体的には、携帯情報端末５２の端末側取得部５６が、操作者からの部品変更指示情報を取得した場合、すなわち、図８では、操作者によりタッチスクリーンディスプレイ６０の「部品変更」ボタンがタップされた場合、端末側出力部５８の表示出力部６２は、図９に示すような、タッチスクリーンディスプレイ６０に部品の変更情報を受け付ける画面を表示出力する。
【０１１６】
次に、ステップＳ５で選択された、データベースの１つの輸液セットについて、この輸液セットを構成する部品を変更するステップＳ６について説明する。このステップＳ６では、実施形態１で説明したように、ステップＳ５で選択された１つの輸液セットの標準品について、部品を変更し、ユーザーの要求を満足する輸液セットの特殊仕様品を設計することができる。図９に示すように、携帯情報端末５２の表示出力部６２は、タッチスクリーンディスプレイ６０に、上述のステップＳ５で選択された１つの輸液セットの標準品の詳細情報を表示出力する。操作者は、この詳細情報を確認しながら、輸液セットの部品を変更することができる。
【０１１７】
具体的に、携帯情報端末５２の端末側取得部５６は、操作者によりタッチスクリーンディスプレイ６０を通じて情報入力部６１に入力された、輸液セットの部品を変更する変更情報を、取得することができる。例えば、図９に示すように、タッチスクリーンディスプレイ６０に表示された「変更」ボタンや「追加」ボタンを操作者がタップすると、表示出力部６２が、輸液ラインの位置に応じた変更又は追加可能な部品一覧をタッチスクリーンディスプレイ６０に表示し、操作者に、その部品一覧から選択させるようにすることができる。なお、ここでいう「部品の変更情報」とは、部品の追加、削除及び置換のみならず、例えばチューブ長さの変更など各部品の仕様の変更をも含むものである。
【０１１８】
なお、携帯情報端末５２の端末側取得部５６が、部品の変更情報を取得すると、端末側出力部５８の表示出力部６２が、タッチスクリーンディスプレイ６０に対して、変更された輸液セットの詳細情報を表示出力する。また、基となる標準品の部品から変更された部品と、基となる標準品の部品から変更されていない部品とを、例えば、図９に示す輸液セットの構成図において背景色を異ならせることによって、識別できるようにしてもよい。
【０１１９】
次に、ステップＳ５で選択された１つの輸液セット又はステップＳ５で選択されてステップＳ６で部品が変更された１つの輸液セット、を特定する識別情報を受信装置５３へと出力するステップＳ７について説明する。ステップＳ７では、ステップＳ５においてユーザーの要求を満足する標準品として選択された１つの輸液セット又はステップＳ６において部品が変更された特殊仕様品としての１つの輸液セット、の識別情報を受信装置５３のへと送信するステップである。このステップにより送信された識別情報は、受信装置５３の受信部４９で受信され、輸液セットの提供者により発注情報として受領されることにより、輸液セットの発注が完了する。
【０１２０】
より具体的には、上述したように、携帯情報端末５２の端末側取得部５６が、操作者からの発注指示情報を取得した場合、すなわち、図９では、操作者によりタッチスクリーンディスプレイ６０の「発注」ボタンがタップされた場合、端末側出力部５８の送信部５４は、受信装置５３に対して輸液セットを特定する識別情報を送信する。
【０１２１】
最後に、受信装置５３へと送信された識別情報により特定される輸液セットがステップＳ６において部品が変更された１つの輸液セットである場合、その輸液セットを、所定条件下で、データベースに登録するステップＳ８について説明する。このステップＳ８は、送信された識別情報により特定される輸液セットがデータベースにない場合、所定条件下で、その輸液セットをデータベースに登録するものである。具体的に、輸液セット検索装置２１の制御部２６は、端末側出力部５８の送信部５４により受信装置５３に対して送信された識別情報により特定される輸液セットが標準品の一部の部品が変更された特殊仕様品である場合に、その輸液セットを、所定条件下で、輸液セット検索装置２１の記憶部２４のデータベースに追加登録する。なお、ここで追加登録される輸液セットは、実施形態１で説明したように、発注回数が所定回数以上の準標準品である。
【０１２２】
より具体的に、このステップＳ８は、携帯情報端末５２に設けられた発注回数カウンタ部が、ステップＳ６において部品が変更された輸液セットについての発注回数をカウントするステップと、端末側出力部５８の送信部５４が、この発注回数カウンタ部によるカウント数が所定数以上になった場合に、輸液セット検索装置２１へ登録指示情報を送信するステップと、輸液セット検索装置２１の受信部２７が、携帯情報端末５２から送信された登録指示情報を受信するステップと、輸液セット検索装置２１の制御部５９が、登録指示情報に基づいて、記憶部２４のデータベースに輸液セットを追加登録するステップと、を含むものである。
【０１２３】
なお、図７及び図８に示す画面は、準標準品が記憶部２４のデータベースに登録されていない状態での画面を示しているため、画面上に表示されている輸液セットは、全て「標準品」と表記されているが、準標準品が記憶部２４のデータベースに登録されると、検索部２３の検索結果を示す図７の画面や、１つの輸液セットについての詳細情報を示す図８の画面において、標準品と区別可能な文字列、アイコン等が表記される。例えば、「準標準品」との文字列を、イメージ画像と共に表示することができる。
【０１２４】
以上のように、この輸液セット検索システム１００は、輸液セットの検索、設計及び発注を実現するものである。なお、図５〜図９に示すいずれかの画面において、操作者が、最下部に表示された「発注データ作成」ボタンをタップすると、図５に示す画面が新規に表示され、上述したステップＳ１〜Ｓ８を再び実行することができる。
【０１２５】
また、上述したステップＳ６とステップＳ７との間に、ステップＳ６で部品が変更された輸液セットについて、薬事法等に基づいて設定された所定の条件を満足するか否かを判定するステップを更に設けてもよい。所定の条件としては、例えば、輸液セットの全長や混注口の数などが挙げられる。この判定は、例えば携帯情報端末５２の端末側制御部５９によって実行される。端末側制御部５９は、例えば、ステップＳ６で部品が変更された輸液セットの全長が所定長さ以下の場合に、ステップＳ７による発注を実行し、所定長さより長い場合には、ステップＳ７による発注を実行しないように制御することができる。また、端末側制御部５９は、例えば、輸液セットにおける混注口の数が所定数以下の場合に、ステップＳ７による発注を実行し、所定数より多い場合には、ステップＳ７による発注を実行しないように制御してもよい。なお、端末側制御部５９がステップＳ７による発注を実行しない場合、操作者は、再度、ステップＳ６における部品の変更を行うことができる。
【０１２６】
また、上述したステップＳ７において、輸液セットを特定する識別情報を受信装置５３に送信する前に、表示出力部６２が、タッチスクリーンディスプレイ６０に、その識別情報により特定される輸液セットの価格や、ユーザーに提供できるまでにかかる期間（納品納期）を表示出力することができるようにしてもよい。また、ここで表示される価格及び納品納期を、ステップＳ５で選択された標準品としての輸液セットと、ステップＳ６で標準品から部品が変更された特殊仕様品としての輸液セットとで、異ならせるように表示させてもよい。すなわち、端末側制御部５９が、標準品であるか、特殊仕様品であるかを区別可能な情報（例えば、ステップＳ６で取得される変更情報の有無）に基づいて、表示する価格や納品納期を切り替える制御を行うようにしてもよい。
【０１２７】
また、この輸液セット検索システム１００における携帯情報端末５２は、上述したように、輸液セットを構成する部品の部品情報を取得する端末側取得部５６と、この端末側取得部５６が取得した部品情報を、例えば生産数情報などの、部品情報と異なる情報に関連付けられて生成された輸液セットのデータベースを保持する輸液セット検索装置２１に送信する送信部５４と、を備え、端末側取得部５６は、送信部５４が送信した部品情報に対応する、データベースの輸液セットに関する情報を輸液セット検索装置２１から受信するものである。更に、携帯情報端末５２は、端末側取得部５６が受信した、輸液セット検索装置２１におけるデータベースの輸液セットに関する情報を、表示部としてのタッチスクリーンディスプレイ６０に表示出力する表示出力部６２を備えるものである。
【０１２８】
また更に、携帯情報端末５２の端末側取得部５６は、表示部としてのタッチスクリーンディスプレイ６０に表示出力された、輸液セット検索装置２１のデータベースにおける１つの輸液セットにおいて、この輸液セットを構成する部品を変更する変更情報を取得するものである。また、携帯情報端末５２の端末側出力部５８は、部品が変更された輸液セットを特定する識別情報を、外部装置５０としての受信装置５３へ送信する。また、携帯情報端末５２は、受信装置５３へ送信された識別情報により特定される輸液セットを輸液セット検索装置２１のデータベースに登録する登録指示情報を、所定条件下で、輸液セット検索装置２１に送信する。
【０１２９】
なお、実施形態１の輸液セット検索装置１及び実施形態２の輸液セット検索装置２１として機能させるために、コンピュータを好適に用いることができ、そのようなコンピュータは、輸液セット検索装置１及び輸液セット検索装置２１の各機能を実現する処理内容を記述したプログラムを該コンピュータの記憶部４、２４に格納しておき、該コンピュータの制御部６、２６によってこのプログラムを読み出して実行させることで実現することができる。
【０１３０】
すなわち、このプログラムは、コンピュータを、輸液セットを構成する部品の部品情報を取得する取得手段、及び、部品情報と異なる条件に関連付けられて生成された、輸液セットのデータベースから、取得手段が取得した部品情報に対応する輸液セットを検索する検索手段、として機能させるものである。
【０１３１】
また、上述の取得手段及び検索手段に加えて、コンピュータを、取得手段が取得した部品情報に対応する、データベースの１つの輸液セットにおいて、この輸液セットを構成する部品を変更する設計を行う設計手段として機能させるプログラムとしてもよい。更に、このコンピュータを、部品が変更された輸液セットを特定する識別情報を外部装置５０へと出力する出力手段として機能させるプログラムとしてもよい。また更に、このコンピュータを、外部装置５０へと出力された識別情報により特定される輸液セットをこのコンピュータの記憶部におけるデータベースに登録する登録手段として機能させるプログラムとしてもよく、このコンピュータを、外部装置５０へと出力された識別情報により特定される輸液セットを外部装置５０の記憶部におけるデータベースに登録させる登録指示情報を送信する、登録指示情報の送信手段として機能させるプログラムとしてもよい。
【０１３２】
なお、これらのプログラムは、コンピュータ読取り可能な記録媒体に記録可能である。また、このプログラムを、ネットワークを通じてコンピュータに提供するようにすることも可能である。
【産業上の利用可能性】
【０１３３】
本発明は、輸液セット検索装置及び輸液セット検索方法に関する。
【符号の説明】
【０１３４】
１、２１：輸液セット検索装置
２、２２：取得部
３、２３：検索部
４、２４：記憶部
５、２５：出力部
６、２６：制御部
７：表示部
８：表示出力部
９：送信部
１７：情報入力部
２７：受信部
２８：送信部
４９：受信部
５０：外部装置
５２：携帯情報端末（外部装置）
５３：受信装置（外部装置）
５４：送信部
５５：受信部
５６：端末側取得部（取得部）
５７：端末側記憶部（記憶部）
５８：端末側出力部（出力部）
５９：端末側制御部（制御部）
６０：タッチスクリーンディスプレイ（表示部）
６１：情報入力部
６２：表示出力部
１００：輸液セット検索システム
【図１】
2019067420.tif 000003
【図２】
2019067420.tif 000004
【図３】
2019067420.tif 000005
【図４】
2019067420.tif 000006
【図５】
2019067420.tif 000007
【図６】
2019067420.tif 000008
【図７】
2019067420.tif 000009
【図８】
2019067420.tif 000010
【図９】
2019067420.tif 000011
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
チューブ、混注用コネクタ、および前記チューブと前記混注用コネクタとの接続構造を含む輸液セットを構成する部品の部品情報を取得する取得部と、
前記取得部が取得した前記部品情報に対応する輸液セットを、前記部品情報と異なる情報に関連付けられて生成された輸液セットのデータベースから検索する検索部と、を備えることを特徴とする輸液セット検索装置。
【請求項２】
前記取得部は、前記取得部が取得した前記部品情報に対応する、前記データベースの１つの輸液セットについて、当該輸液セットを構成する部品を変更する変更情報を取得することを特徴とする、請求項１に記載の輸液セット検索装置。
【請求項３】
前記変更情報に基づいて決定された輸液セットを特定する識別情報を、外部装置に出力する出力部を備えることを特徴とする、請求項２に記載の輸液セット検索装置。
【請求項４】
前記出力部により出力された前記識別情報により特定される前記輸液セットを、前記データベースの輸液セットに登録することを特徴とする、請求項３に記載の輸液セット検索装置。
【請求項５】
前記データベースは、輸液セットの過去の生産数情報又は売上情報に関連付けられて生成されることを特徴とする、請求項１乃至４のいずれか１つに記載の輸液セット検索装置。